(57)【要約】【課題】  移動受信環境において、より精度の高い周波数特性推定を行うことが可能な技術を提供することである。【解決手段】  ＯＦＤＭ変調方式を用いＳＰ（Scattered Pilot）が挿入されたデジタル伝送方式の送信信号を受信する受信装置において、前後３シンボルのＳＰを用いて周波数特性を推定する周波数特性推定部１と１シンボル単位で周波数特性を推定する周波数特性推定部２とを有する周波数特性推定部１１０と、一定の振幅で毎シンボル送出されるキャリアの振幅変動を検出する振幅変動検出部１１２と、振幅変動検出部１１２により得られた変動速度に応じて、周波数特性推定部１、２から得られた周波数特性を切り替える切替器１１４とを備えるものである。【選択図】        図１
2006140987.tif 000002
【特許請求の範囲】
【請求項１】
ＯＦＤＭ変調方式を用いＳＰ（Scattered Pilot）が挿入されたデジタル伝送方式の送信信号を受信する受信装置において、
前後３シンボルのＳＰを用いて周波数特性を推定する第１の周波数特性推定部と１シンボル単位で周波数特性を推定する第２の周波数特性推定部とを有する周波数特性推定手段と、
一定の振幅で毎シンボル送出されるキャリアの振幅変動を検出する振幅変動検出手段と、
前記振幅変動検出手段により得られた変動速度に応じて、前記第１の周波数特性推定部または第２の周波数特性推定部から得られた周波数特性を切り替える切替手段と
を備え、
前記切替手段で周波数特性を切り替えてＯＦＤＭ信号を復調することを特徴とする受信装置。
【請求項２】
ＯＦＤＭ変調方式を用いＳＰが挿入されたデジタル伝送方式の送信信号を受信するダイバシティ受信方式の受信装置において、
各ブランチ毎に、
前後３シンボルのＳＰを用いて周波数特性を推定する第１の周波数特性推定部と１シンボル単位で周波数特性を推定する第２の周波数特性推定部とを有する周波数特性推定手段と、
一定の振幅で毎シンボル送出されるキャリアの振幅変動を検出する振幅変動検出手段と、
前記振幅変動検出手段により得られた変動速度に応じて、前記第１の周波数特性推定部または第２の周波数特性推定部から得られた周波数特性を切り替える切替手段と
を備え、
各ブランチの前記切替手段から出力された各ブランチの周波数特性から合成係数を算出してダイバシティ合成を行いＯＦＤＭ信号を復調することを特徴とする受信装置。
【請求項３】
請求項１または２に記載の受信装置において、
前記振幅変動検出手段は、前記一定の振幅で毎シンボル送出されるキャリアである、ＣＰ、ＴＭＣＣ、ＡＣのうち、少なくとも１つのキャリアを用いて振幅変動を検出することを特徴とする受信装置。
【請求項４】
ＯＦＤＭ変調方式を用いＳＰが挿入されたデジタル伝送方式の送信信号を受信する受信装置において、
前後３シンボルのＳＰを用いて周波数特性を推定する第１の周波数特性推定部と１シンボル単位で周波数特性を推定する第２の周波数特性推定部とを有する周波数特性推定手段と、
ＧＰＳで移動体のスピードを計測する、又は移動体が備える速度計で計測される走行スピードを取り込む移動速度検出手段と、
前記移動速度検出手段により得られた移動体のスピードから振幅変動を推定する振幅変動推定手段と、
前記振幅変動推定手段により得られた変動速度に応じて、前記第１の周波数特性推定部または第２の周波数特性推定部から得られた周波数特性を切り替える切替手段と
を備え、
前記切替手段で周波数特性を切り替えてＯＦＤＭ信号を復調することを特徴とする受信装置。
【請求項５】
ＯＦＤＭ変調方式を用いＳＰが挿入されたデジタル伝送方式の送信信号を受信するダイバシティ受信方式の受信装置において、
各ブランチ毎に、
前後３シンボルのＳＰを用いて周波数特性を推定する第１の周波数特性推定部と１シンボル単位で周波数特性を推定する第２の周波数特性推定部とを有する周波数特性推定手段と、
ＧＰＳで移動体のスピードを計測する、又は移動体が備える速度計で計測される走行スピードを取り込む移動速度検出手段と、
前記移動速度検出手段により得られた移動体のスピードから振幅変動を推定する振幅変動推定手段と、
前記振幅変動推定手段により得られた変動速度に応じて、前記第１の周波数特性推定部または第２の周波数特性推定部から得られた周波数特性を切り替える切替手段と
を備え、
各ブランチの前記切替手段から出力された各ブランチの周波数特性から合成係数を算出してダイバシティ合成を行いＯＦＤＭ信号を復調することを特徴とする受信装置。
【請求項６】
請求項１ないし５のうちいずれか１項に記載の受信装置において、
前記第２の周波数特性推定部は、
シンボルの帯域端のキャリアがＳＰまたはＣＰでない場合は、前後のシンボルの帯域端のＳＰから内挿する、前後のシンボルの帯域端のＳＰを利用する、または当該シンボルで最も周波数が近いＳＰまたはＣＰを利用することによって、当該シンボルの帯域端のキャリアの振幅位相基準を得て、前記帯域端のキャリアの振幅位相基準を用いて当該シンボルの帯域外にＳＰを外挿し、
シンボルの帯域端のキャリアがＳＰまたはＣＰである場合は、該ＳＰまたはＣＰの値を用いて当該シンボルの帯域外にＳＰを外挿し、
前記帯域外に外挿されたＳＰも利用して、当該シンボルの周波数特性を推定することを特徴とする受信装置。
【発明の詳細な説明】
【技術分野】
【０００１】
本発明は、地上デジタルテレビジョン放送あるいは地上デジタル音声放送など、マルチキャリア変調方式であるＯＦＤＭ（Orthogonal Frequency Division Multiplexing：直交周波数分割多重）を使った無線通信システムの受信装置に関するものであり、特に移動受信など劣悪な無線伝搬環境下においても高品質な情報が受信できるようにした受信装置である。
【背景技術】
【０００２】
日本の地上デジタル放送方式では、図４に示すように各ＯＦＤＭシンボルにおいて１２キャリア毎にパイロット信号（ＳＰ：Scattered Pilot）が挿入されており、前後のシンボル間ではパイロットキャリアの位置が３キャリアずつずれた配置となっている。受信側ではＳＰは既知の値であるため、受信したＳＰの値と真のＳＰ値からそのキャリア位置の周波数における伝送路特性を推定することができる。ＳＰキャリア以外のキャリアの伝送路特性は内挿処理によって求め、これによって得られた伝送路の周波数特性を用いて受信された信号を複素除算することで受信信号の等化を行う。伝送路特性の内挿の方法としては、１シンボル毎に周波数方向の内挿処理を行う方法や、図５に示すように、前後３シンボル分のＳＰを用いて時間軸方向に内挿処理をした後、周波数方向の内挿処理を行う方法などがある。例えば、特許文献１には、１シンボル毎に周波数方向の内挿処理のみを行う方法が記載される。また、特許文献２には、時間軸方向の内挿を行った後、周波数軸方向の内挿を行う技術が記載される。
【０００３】
【特許文献１】特開２００２−９７２４号公報
【特許文献２】特開２００３−１７４４２７号公報
【発明の開示】
【発明が解決しようとする課題】
【０００４】
前後３シンボルのＳＰを用いて時間軸方向の内挿処理を行った後に周波数方向の内挿処理を行う方法（以下、時間内挿＋周波数内挿方式）では、周波数方向の解像度を高めることができるため、より長い遅延波が存在する場合でも周波数特性を推定することができる反面、高速移動受信環境等、周波数特性が絶えず変化している受信環境においては推定の精度が落ちるという問題がある。一方、１シンボル毎に周波数方向の内挿処理のみを行う方法（以下、１シンボル毎の周波数内挿方式）では、高速移動受信環境等の時間変化に対しては強いが、長い遅延波が存在する環境では推定精度が落ちるという問題がある。
【０００５】
本発明は、このような問題に鑑みてなされたものであり、本発明の目的は、移動受信環境の変化に応じてこれらの内挿処理を選択的に切り替えることで、伝送路特性が絶えず変化している受信環境においてもより精度の高い周波数特性推定を行うことが可能な技術を提供することにある。
【０００６】
本発明の前記ならびにその他の目的と新規な特徴は、本明細書の記述および添付図面によって明らかになるであろう。
【課題を解決するための手段】
【０００７】
本願において開示される発明のうち、代表的なものの概要を簡単に説明すれば、下記のとおりである。
【０００８】
（１）ＯＦＤＭ変調方式を用いＳＰ（Scattered Pilot）が挿入されたデジタル伝送方式の送信信号を受信する受信装置において、前後３シンボルのＳＰを用いて周波数特性を推定する第１の周波数特性推定部と１シンボル単位で周波数特性を推定する第２の周波数特性推定部とを有する周波数特性推定手段と、一定の振幅で毎シンボル送出されるキャリアの振幅変動を検出する振幅変動検出手段と、前記振幅変動検出手段により得られた変動速度に応じて、前記第１の周波数特性推定部または第２の周波数特性推定部から得られた周波数特性を切り替える切替手段とを備え、前記切替手段で周波数特性を切り替えてＯＦＤＭ信号を復調するものである。
【０００９】
（２）ＯＦＤＭ変調方式を用いＳＰが挿入されたデジタル伝送方式の送信信号を受信するダイバシティ受信方式の受信装置において、各ブランチ毎に、前後３シンボルのＳＰを用いて周波数特性を推定する第１の周波数特性推定部と１シンボル単位で周波数特性を推定する第２の周波数特性推定部とを有する周波数特性推定手段と、一定の振幅で毎シンボル送出されるキャリアの振幅変動を検出する振幅変動検出手段と、前記振幅変動検出手段により得られた変動速度に応じて、前記第１の周波数特性推定部または第２の周波数特性推定部から得られた周波数特性を切り替える切替手段とを備え、各ブランチの前記切替手段から出力された各ブランチの周波数特性から合成係数を算出してダイバシティ合成を行いＯＦＤＭ信号を復調するものである。
【００１０】
（３）前述する（１）または（２）に記載の受信装置において、前記振幅変動検出手段は、前記一定の振幅で毎シンボル送出されるキャリアである、ＣＰ、ＴＭＣＣ、ＡＣのうち、少なくとも１つのキャリアを用いて振幅変動を検出するものである。
【００１１】
（４）ＯＦＤＭ変調方式を用いＳＰが挿入されたデジタル伝送方式の送信信号を受信する受信装置において、前後３シンボルのＳＰを用いて周波数特性を推定する第１の周波数特性推定部と１シンボル単位で周波数特性を推定する第２の周波数特性推定部とを有する周波数特性推定手段と、ＧＰＳで移動体のスピードを計測する、又は移動体が備える速度計で計測される走行スピードを取り込む移動速度検出手段と、前記移動速度検出手段により得られた移動体のスピードから振幅変動を推定する振幅変動推定手段と、前記振幅変動推定手段により得られた変動速度に応じて、前記第１の周波数特性推定部または第２の周波数特性推定部から得られた周波数特性を切り替える切替手段とを備え、前記切替手段で周波数特性を切り替えてＯＦＤＭ信号を復調するものである。
【００１２】
（５）ＯＦＤＭ変調方式を用いＳＰが挿入されたデジタル伝送方式の送信信号を受信するダイバシティ受信方式の受信装置において、各ブランチ毎に、前後３シンボルのＳＰを用いて周波数特性を推定する第１の周波数特性推定部と１シンボル単位で周波数特性を推定する第２の周波数特性推定部とを有する周波数特性推定手段と、ＧＰＳで移動体のスピードを計測する、又は移動体が備える速度計で計測される走行スピードを取り込む移動速度検出手段と、前記移動速度検出手段により得られた移動体のスピードから振幅変動を推定する振幅変動推定手段と、前記振幅変動推定手段により得られた変動速度に応じて、前記第１の周波数特性推定部または第２の周波数特性推定部から得られた周波数特性を切り替える切替手段とを備え、各ブランチの前記切替手段から出力された各ブランチの周波数特性から合成係数を算出してダイバシティ合成を行いＯＦＤＭ信号を復調するものである。
【００１３】
（６）前述する（１）〜（５）に記載の受信装置において、前記第２の周波数特性推定部は、シンボルの帯域端のキャリアがＳＰまたはＣＰでない場合は、前後のシンボルの帯域端のＳＰから内挿する、前後のシンボルの帯域端のＳＰを利用する、または当該シンボルで最も周波数が近いＳＰまたはＣＰを利用することによって、当該シンボルの帯域端のキャリアの振幅位相基準を得て、前記帯域端のキャリアの振幅位相基準を用いて当該シンボルの帯域外にＳＰを外挿し、シンボルの帯域端のキャリアがＳＰまたはＣＰである場合は、該ＳＰまたはＣＰの値を用いて当該シンボルの帯域外にＳＰを外挿し、前記帯域外に外挿されたＳＰも利用して、当該シンボルの周波数特性を推定するものである。
【発明の効果】
【００１４】
本発明によれば、移動体の移動速度や受信信号レベルの変動周期から受信信号の状態を把握し、上述の時間内挿＋周波数内挿方式と１シンボル毎の周波数内挿方式を選択的に切り替えるので、移動受信環境など伝送路特性が絶えず変化している受信環境において、移動体の移動速度に応じてより精度の高い周波数特性等化を行うことができ、受信特性を向上させることができる。
【発明を実施するための最良の形態】
【００１５】
以下、図面を使用して本発明の実施形態を詳細に説明する。
【００１６】
図１は、本発明の実施形態による受信装置の構成例である。この図に従って、本実施形態の受信装置の構成および動作について説明する。
【００１７】
１００はＲＦ周波数の信号を受信する受信アンテナ、１０２はＲＦ周波数の信号に同調して中間周波数帯の信号に変換するチューナー部、１０４はアナログ信号からデジタル信号に変換するＡ／Ｄ変換部、１０６は直交復調部であり、デジタル信号のＩ軸信号とＱ軸信号の複素ベースバンド信号が得られる。１０８は複素ベースバンド信号（時間波形）を離散フーリエ変換して周波数軸の信号を得る複素ＦＦＴ部であり、数千本のキャリアの複素データが得られる。１１０は伝送路で生じた周波数特性を推定する周波数特性推定部であり、時間内挿＋周波数内挿方式と１シンボル毎の周波数内挿方式の２種類の等化方式を持つ。１１２はＣＰ（Continual Pilot），ＡＣ（Auxiliary Channel），ＴＭＣＣ（Transmission and Multiplexing Configuration Control）等の特定のキャリアの振幅変動を検出し、変動速度に応じて周波数特性推定部１１０における２種類の処理方式を切替器１１４で切り替える制御を行う振幅変動検出部である。これによって得られた伝送路の周波数特性を用いて周波数特性等化部１１６においてキャリアデータを複素除算することにより周波数等化を行う。１１８は周波数特性等化部１１６で得られた信号を復調する復調部であり、例えば６４ＱＡＭのコンスタレーションから０，１のデジタル信号が出力される。
【００１８】
このように、本実施形態の受信装置は周波数特性推定部１１０として、時間内挿＋周波数内挿方式の周波数特性推定部１と、１シンボル毎の周波数内挿方式の周波数特性推定部２とを備える。周波数特性推定部１、２にはそれぞれ複素ＦＦＴ部１０８から出力されたＳＰが入力されている。周波数特性推定部１は前後３シンボルのＳＰを用いた時間軸方向の内挿処理を行った後に周波数方向の内挿処理を行うことにより、ＳＰキャリア以外のキャリアの伝送路特性を演算し切替器１１４に出力する。周波数特性推定部２は１シンボル毎に周波数方向の内挿処理のみにより、ＳＰキャリア以外のキャリアの伝送路特性を演算し切替器１１４に出力する。切替器１１４は振幅変動検出部１１２の制御により、周波数特性推定部１の出力と周波数特性推定部２の出力を切り替えて周波数特性等化部１１６へ出力する。
【００１９】
周波数特性推定部２について、さらに詳しく説明する。地上デジタル放送のＳＰおよびＣＰの配置を図６に示す。地上デジタル放送は伝送モードが３の場合、５６１７本（ｋ＝０〜５６１６）のキャリアを使ってデジタル信号が伝送されている。伝送路特性を推定するために挿入されるＳＰのキャリア位置をｋｐとすると、以下の配置になっている。
ｋｐ＝３×ｍｏｄ（ｉ，４）＋１２ｐ
ここで、ｉはシンボル番号、ｐは０〜４６７（伝送モードが３の場合）、ｍｏｄ（ｉ，４）は、ｉを４で割ったときの余りを示す。但し、モード３の場合の最大のキャリア番号は５６１６であり、このキャリアには必ずＣＰが割り当てられることとなっている（図６の右端の●参照）。
【００２０】
周波数特性推定部２は、周波数方向の伝送路特性を推定するために、シンボル毎にＳＰとＣＰから周波数方向の内挿処理を行うが、その際、ＯＦＤＭ信号帯域端（ｋ＝０以上の複数キャリアおよびｋ＝５６１６以下の複数キャリア）の伝送特性が乱れる。これは，ＯＦＤＭ信号帯域外に，伝送路特性を推定するためのＳＰやＣＰなどのパイロットシンボルがないためである。
【００２１】
そこで、ＯＦＤＭ信号帯域端の伝送特性の乱れを少なくするため、周波数特性推定部２では、図７に示すようにＳＰやＣＰを用いて内挿または外挿して振幅位相値を求め、ＳＰ、ＣＰ、内挿または外挿して得られた振幅位相値を用いて、全キャリアの伝送路特性を推定する。
【００２２】
図７の伝送路推定について詳しく説明する。帯域右端（周波数の高い側の帯域端）のｋ＝５６１６のキャリアは、ＣＰであり、帯域右側の帯域外は、このＣＰの値をそのまま外挿する。一方、帯域左端（周波数の低い側の帯域端）のｋ＝０のキャリアは，ＳＰの場合とデータキャリアの場合がある。ＳＰの場合は、その値を用いて帯域左側の帯域外に振幅位相値を外挿する。データキャリアの場合は、前後のシンボルのｋ＝０のＳＰの値を現在のシンボル（ｉ）のｋ＝０の振幅位相基準とする。帯域左側の帯域外は、ｋ＝０の振幅位相基準の値をそのまま外挿する。なお、以降、帯域外に外挿された振幅位相値のことを便宜的にＳＰと呼ぶこととする。
【００２３】
ＯＦＤＭ信号帯域外（帯域外左側および右側）に外挿される振幅位相基準のキャリア番号は、帯域内の１２キャリア毎のＳＰと連続するようなキャリア番号とする。すなわち、図７に示すように、ｍｏｄ（ｉ，４）＝０の場合は周波数が低い側に外挿されたＳＰのキャリア番号をｋ＝−１２、ｋ＝−２４、・・・とし、周波数の高い側に外挿されたＳＰのキャリア番号をｋ＝５６１６＋１２＝５６２８、ｋ＝５６１６＋２４＝５６４０、・・・とする。ｍｏｄ（ｉ，４）＝１の場合は、周波数が低い側に外挿されたＳＰのキャリア番号をｋ＝−９、ｋ＝−２１、・・・とし、周波数の高い側に外挿されたＳＰのキャリア番号をｋ＝５６１６＋３＝５６１９、ｋ＝５６１６＋１５＝５６３１、・・・とする。ｍｏｄ（ｉ，４）＝２の場合、ｍｏｄ（ｉ，４）＝３の場合も同様である。
【００２４】
帯域左端の振幅位相基準について、もう少し具体的に示すと、ｍｏｄ（ｉ，４）＝０の場合は，ｋ＝０（帯域左端）のＳＰの値をそのまま用い、ｍｏｄ（ｉ，４）＝１の場合は，１シンボル前（ｉ−１）のｋ＝０のＳＰの値を現在のシンボル（ｉ）のｋ＝０の振幅位相基準とする。なお、１シンボル前（ｉ−１）のｋ＝０のＳＰの値と３シンボル後（ｉ＋３）のｋ＝０のＳＰの値の２つの値から直線内挿して振幅位相基準を求めてもよい。また、現在のシンボル（ｉ）のｋ＝３のＳＰの値、すなわち帯域左端に最も近いＳＰの値をそのまま使ってもよい。同様に、ｍｏｄ（ｉ，４）＝２や３の場合も、２シンボル、３シンボル前のｋ＝０のＳＰを使ったり、２シンボル、１シンボル後のｋ＝０のＳＰを使ったり、前後のシンボルから直線内挿して求めたり、現在のシンボル（ｉ）のｋ＝６やｋ＝９のＳＰの値をそのまま使ってもよい。このようにして得た帯域左端のキャリアの振幅位相基準を用いて、帯域の左側にＳＰを外挿する。
【００２５】
前述の例は、モード３の場合であったが、モード２の場合は、全キャリア数は２８０９本となり、ｋ＝２８０８がＣＰとなる。ｋ＝５６１６の代わりに、ｋ＝２８０８と考えれば同様である。
【００２６】
以上の説明からわかるように、本実施形態の周波数特性推定部２は次のように１シンボル単位で周波数特性を推定する。シンボルの帯域端のキャリアがＳＰまたはＣＰでない場合は、前後のシンボルの帯域端のＳＰから内挿する、前後のシンボルの帯域端のＳＰを利用する、または当該シンボルで最も周波数が近いＳＰまたはＣＰを利用することによって、当該シンボルの帯域端のキャリアの振幅位相基準を得て、この帯域端のキャリアの振幅位相基準を用いて当該シンボルの帯域外にＳＰを外挿する。当該シンボルのキャリアがＳＰまたはＣＰである場合は、そのＳＰまたはＣＰの値を用いて当該シンボルの帯域外にＳＰを外挿する。このように帯域外に外挿されたＳＰも利用して当該シンボルの周波数特性を推定する。すなわち、周波数特性推定部２は帯域外の外挿されたＳＰと帯域内のＳＰやＣＰを用いて、１シンボル単位で周波数特性を推定する。また、他のＳＰやＣＰから当該シンボルの帯域端のキャリアの振幅位相基準を得た場合は、その帯域端のキャリアの振幅位相基準も用いて１シンボル単位で周波数特性を推定してもよい。
【００２７】
なお、本実施の形態の周波数特性推定部２は以上に説明したものであるが、一般的には、周波数特性推定部２は１シンボル単位で周波数特性を推定するものであればよい。
【００２８】
振幅変動検出部１１２についてさらに詳しく説明する。振幅変動検出部１１２は、地上デジタル放送のＣＰ，ＴＭＣＣ，ＡＣなど常に一定の振幅で毎シンボル送出されているキャリアを用いて受信側での振幅変動の速度を算出し、周波数特性推定部１１０における２つの周波数特性推定回路を切替器１１４で切り替える制御を行う回路である。尚、ＣＰはＯＦＤＭ信号の最も高い周波数のキャリアに１本配置される。振幅の変動速度が予め設定された値以上となった場合は周波数特性推定部１１０の回路を１シンボル毎の周波数内挿方式に切り替える制御を行い、設定値以下となった場合は時間内挿＋周波数内挿方式に切り替える。
【００２９】
すなわち、振幅変動検出部１１２は受信側での振幅変動の速度に応じて切替器１１４を制御することによって、周波数方向の解像度を高めることができ、より長い遅延波が存在する場合でも周波数特性を推定することができる周波数特性推定部１の出力と、高速移動受信環境等の時間変化に対して優位な周波数特性推定部２の出力とのいずれか一方を選択し、周波数特性等化部１１６に出力させる構成である。その結果、移動受信環境など伝送路特性が絶えず変化している受信環境であっても、移動体の移動速度に伴う受信側での振幅変動の速度に応じたより精度の高い周波数特性等化を行うことができるので、受信装置の受信特性を向上させることができる。
【００３０】
このように、本実施形態の受信装置では、複素ＦＦＴ部１０８で得られるＣＰ，ＴＭＣＣ，ＡＣ等のキャリアを用いて、振幅変動検出部１１２が振幅変動の周波数特性を検出する。本来、ＣＰ，ＴＭＣＣ，ＡＣ等のキャリアは一定振幅のみで伝送されているため、周波数特性はなくＤＣ成分のみとなるが、移動受信によるフェージング妨害によって時間変動が加わることにより、ＦＦＴ後の波形に周波数方向の広がりが現れる。したがって、この広がりの範囲を検出することにより、振幅変動速度を検出することが可能となる。なお、ここでＣＰ，ＴＭＣＣ，ＡＣ等のキャリアから１本のみを使用するのではなく、複数のキャリアからの検出結果を参照することによって信頼度を上げることも可能である。
【００３１】
なお、振幅変動検出部１１２は一定時間内のＣＰ（またはＴＭＣＣ，ＡＣ）の振幅の谷の数をカウントすることにより、変動速度を検出してもよい。すなわち、一般に地上波を移動受信するとフェージング妨害が発生し、これにより、受信信号の振幅に時間変動が生じる。本来、ＣＰ，ＴＭＣＣ，ＡＣ等のキャリアは一定振幅で伝送されているが、フェージング妨害の影響で、受信したキャリアに周期的な振幅変動が現れる。したがって、振幅が極小となった数（振幅の谷の数）をカウントすることにより、振幅変動速度を検出することが可能となる。
【００３２】
また、振幅変動検出部１１２において、複数のＣＰ（またはＴＭＣＣ，ＡＣ）キャリアを利用し検出精度を上げてもよい。
【００３３】
また、振幅変動検出部１１２および切替器１１４において２つの周波数特性推定回路を切り替える代わりに、前後３シンボルのＳＰを用いて時間方向の補正を行い３キャリア毎の伝送路特性を算出し、周波数方向の内挿を行う際に、３キャリア毎の伝送路特性を用いて周波数方向の内挿を行う方式と、当該シンボルのＳＰから求めた１２キャリア毎の伝送路特性のみを用いて周波数方向の内挿を行う方式を切り替えてもよい。
【００３４】
また、図２の実施形態の受信装置は、受信アンテナ２００、チューナー部２０２、Ａ／Ｄ変換部２０４、直交復調部２０６、複素ＦＦＴ部２０８、２つの周波数特性推定部２１０、振幅変動推定部２１２、移動速度検出部２１４、切替器２１６、周波数特性等化部２１８、および復調部２２０を備える。なお、図２の実施形態の受信装置において、振幅変動推定部２１２および移動速度検出部２１４を除く他の構成は、図１の受信装置と同様の処理を行う。
【００３５】
図２の実施形態の受信装置は、振幅変動検出部１１２の代わりにＧＰＳデータや車のスピードメータ等により移動体の移動速度を移動速度検出部２１４で検出し、振幅の変動周期を推定する振幅変動推定部２１２を用いて切替器２１６の切替を制御する構成である。すなわち、振幅変動は移動体の速度および信号の送信周波数と比例関係にあり、移動体の速度が速いほど変動周期も速くなる。移動体の速度をｖ、信号の波長をλとすると、振幅の変動速度（周波数）ｆｄは、ｆｄ＝ｖ／λによって算出することができる。したがって、移動体の移動速度から振幅の変動周期の推定が可能となる。
【００３６】
なお、図１、図２の受信装置において、２つの異なる周波数特性推定部１、２を有する周波数特性推定部１１０、２１０、振幅変動検出部１１２、振幅変動推定部２１２、および切替器１１４、２１６を除く他の構成は、従来のＯＦＤＭ方式の受信装置と同様である。
【００３７】
図３は本発明の実施形態によるダイバシティ受信方式を用いたデジタル受信装置の構成例である。なお、各ブランチ毎に配置される複素ＦＦＴ部から得られた周波数領域の受信信号と、この受信信号から演算した合成係数を用いて伝送路特性の補償と合成を一括して行う技術は、例えば特許第３３７７３６１号公報「ダイバーシチ受信装置」に記載されている。
【００３８】
図３の実施形態の受信装置は、受信アンテナ３００、チューナー部３０２、Ａ／Ｄ変換部３０４、直交復調部３０６、複素ＦＦＴ部３０８、２つの周波数特性推定部３１０、振幅変動検出部３１２、および切替器３１４をＬ系統の各ブランチ毎に備えると共に、Ｌ系統の各ブランチ毎の各切替器３１４からの信号が入力される合成係数算出部３１６、複素ＦＦＴ部３０８からのキャリアデータと合成係数算出部３１６からの信号が入力されるダイバシティ合成部３１８、およびダイバシティ合成部３１８からの信号が入力される復調部３２０を備える。
【００３９】
このように構成された図３の実施形態の受信装置は、アンテナ入力はＬ本とし、受信アンテナ３００から切替器３１４で周波数特性推定部３１０の処理を切り替えるまでは各ブランチ毎に独立に図１の通常の受信装置と同様の処理を行う。３１６は各ブランチの受信信号の周波数特性からダイバシティ合成時の合成係数を算出する合成係数算出部であり、Ｌ系統の周波数特性Ｈｌ（ｋ）に対し、Ｌ系統のダイバシティ合成用のキャリア毎の合成係数をＷｌ（ｋ）として、以下の式（１）〜式（３）のいずれかの式により算出し、ダイバシティ合成部３１８に出力する。以下の式（１）〜式（３）において、ｌはアンテナのブランチ番号、ｋはキャリア番号、Ｈｌ＊（ｋ）は周波数特性Ｈｌ（ｋ）の複素共役を示す。
【００４０】
【数１】
2006140987.tif 000003
式（１）の分母合成係数Σ｜Ｈｌ（ｋ）｜２は規格化係数である。
【００４１】
【数２】
2006140987.tif 000004
式（２）の分母｜Ｈｌ（ｋ）｜Σ｜Ｈｌ（ｋ）｜は規格化係数である。
【００４２】
【数３】
2006140987.tif 000005
式（３）の分母｜Ｈｌ（ｋ）｜２は規格化係数である。
【００４３】
ダイバシティ合成部３１８では、複素ＦＦＴ部３０８から出力された各ブランチのキャリアの複素データＹｌ（ｉ，ｋ）と、合成係数算出部３１６から得られた合成係数Ｗｌ（ｉ，ｋ）から合成出力Ｚ（ｉ，ｋ）を以下の式（４）の演算で求め、復調部３２０に出力する。式（４）において、ｉはシンボル番号であり、合成出力Ｚ（ｉ，ｋ）はシンボル番号ｉおよびキャリア番号ｋにより特定される信号であり、複素データＹｌ（ｉ，ｋ）と合成係数Ｗｌ（ｉ，ｋ）はアンテナのブランチ番号ｌ、シンボル番号ｉ、およびキャリア番号ｋにより特定される信号である。
【００４４】
【数４】
2006140987.tif 000006
３２０はダイバシティ合成部３１８で得られた信号を復調する復調部であり、例えば６４ＱＡＭのコンスタレーションから０，１のデジタル信号が出力される。
【００４５】
このように、図３のダイバシティ受信装置では、各ブランチ毎に配置される複素ＦＦＴ部３０８から得られた周波数軸の受信信号であるキャリアの複素データＹｌ（ｉ，ｋ）と、合成係数算出部３１６から得られた合成係数Ｗｌ（ｉ，ｋ）を用いて、ダイバシティ合成部３１８において補償および合成を一括して行う。次に、復調部３２０において、ダイバシティ合成部３１８から得られた信号を復調することにより、図１の受信装置の効果に加えて、マルチパスやフェージング環境下でＯＦＤＭ方式のＲＦ信号を受信する場合にも安定した受信を可能とする。
【００４６】
なお、図３のダイバシティ受信装置において、振幅変動検出部３１２はブランチ１のみを利用し、ブランチ２〜Ｌはブランチ１の振幅変動検出部を用いて切替器３１４を制御してもよい。
【００４７】
また、図３のダイバシティ受信装置において、各ブランチ毎の振幅変動検出部３１２を、図２に示す移動速度検出部２１４と振幅変動推定部２１２で構成し、移動速度検出部２１４で検出された移動体の移動速度に基づいて振幅変動推定部２１２が切替器２１６の出力を切り替える構成としてもよい。
【００４８】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【図面の簡単な説明】
【００４９】
【図１】本発明の実施形態による受信装置の構成例を示す図である。
【図２】図１に示す実施形態の受信装置における振幅変動推定部の代わりに、ＧＰＳデータ等による振幅変動推定部を用いた受信装置の構成例を示す図である。
【図３】本発明の実施形態によるスペースダイバシティ受信方式を用いたデジタル受信装置の構成例を示す図である。
【図４】地上デジタル放送のパイロット信号を示す図である。
【図５】伝送路特性の内挿処理方式を示す図である。
【図６】地上デジタル放送（モード３）のＳＰおよびＣＰの配置を示す図である。
【図７】１シンボル伝送路推定における帯域端および帯域外の内挿および外挿を説明するための図である。
【符号の説明】
【００５０】
１００、２００、３００…受信アンテナ  １０２、２０２、３０２…チューナー部
１０４、２０４、３０４…Ａ／Ｄ変換部  １０６、２０６、３０６…直交復調部
１０８、２０８、３０８…複素ＦＦＴ部  １１０、２１０、３１０…周波数特性推定部
１１２、３１２…振幅変動検出部        １１４、２１６、３１４…切替器
１１６、２１８…周波数特性等化部      １１８、２２０、３２０…復調部
２１２…振幅変動推定部                ２１４…移動速度検出部
３１６…合成係数算出部                ３１８…ダイバシティ合成部
【図１】
2006140987.tif 000007
【図２】
2006140987.tif 000008
【図３】
2006140987.tif 000009
【図４】
2006140987.tif 000010
【図５】
2006140987.tif 000011
【図６】
2006140987.tif 000012
【図７】
2006140987.tif 000013